(57)【要約】【課題】新規なコネクタアセンブリを提供する。【解決手段】コネクタアセンブリは、第１及び第２のコネクタを含む。各コネクタは、１列に連続して配置された複数の端子Ａ１〜Ａｎを含み、ｎは２以上の整数である。コネクタアセンブリは、第１及び第２のコネクタの端子を電気接続する複数の導電体を含んでいるフラットケーブルも含む。１〜ｎのｉごとに、第１のコネクタの端子Ａｉが、ケーブルの異なる導電体を介して、第２のコネクタの端子Ａｉに電気接続される。ケーブルは、ケーブルの全幅にわたって延びる少なくとも２つの折り目を中心にして、約１５０°より大きい屈曲を含む。第１及び第２のコネクタはそれぞれ、第１及び第２のコネクタのそれぞれが同じ平面視で同じ相手側コネクタと嵌合するときに、Ａｎ端子が両方ともＡ１端子の左側又は右側のいずれかにあるように、同じ相手側コネクタと嵌合するように構成される。【選択図】図１
2019114544.tif 000002
【特許請求の範囲】
【請求項１】
第１及び第２のコネクタ、並びに実質的に平坦な第１及び第２のケーブルを備えるコネクタアセンブリであって、各コネクタが、
相手側コネクタと嵌合するための嵌合端、及び、１つ以上のケーブルを受け取るための反対側を向いたケーブル端、を備えた絶縁ハウジングと、
少なくとも部分的に前記絶縁ハウジング内に配置された回路基板と、を備え、
前記回路基板が、
上面及び反対側を向いた下面と、
前記回路基板の前端にある嵌合部であって、前記嵌合部が、相手側コネクタの対応する端子と接触するために前記上面及び下面それぞれに複数の嵌合端子を備え、前記嵌合端子が、前記上面に連続して配置されたＡ１〜ＡｎのＡ端子、及び、前記下面に連続して配置されたＢ１〜ＢｎのＢ端子を含んでおり、ｎが２以上の整数であり、端子Ａｉが、１〜ｎのｉごとに、端子Ｂｉに対応すると共に端子Ｂｉと揃えられており、前記第１のコネクタの前記Ａ１端子及びＡｎ端子が、前記第２のコネクタの前記Ａ１端子及びＡｎ端子と同じ位置関係を有する、嵌合部と、
前記絶縁ハウジングの前記ケーブル端に配置された、前記回路基板の後端にある終端部であって、前記上面及び下面それぞれに、前記嵌合端子に電気接続された複数の終端端子を備えている、終端部と、
を備え、
前記実質的に平坦な第１及び第２のケーブルは、複数の導電体を備え、前記複数の導電体は、１〜ｎのｉごとに、前記第１のコネクタの端子Ａｉが、前記第１のケーブルの異なる導電体を介して前記第２のコネクタの前記端子Ａｉに電気接続され、前記第１のコネクタの端子Ｂｉが、前記第２のケーブルの異なる導電体を介して前記第２のコネクタの前記端子Ｂｉに電気接続されるように、前記第１及び第２のコネクタの前記終端端子で終端し、
各ケーブルが、前記ケーブルの全幅にわたって延びる少なくとも２つの折り目を中心にして、約１５０°より大きい屈曲角を含む、
コネクタアセンブリ。
【請求項２】
前記第１のコネクタが直線コネクタであり、前記第２のコネクタが直角コネクタである、請求項１に記載のコネクタアセンブリ。
【請求項３】
前記第１及び第２のコネクタのうちの少なくとも１つが、前記コネクタを相手側コネクタに留めるためのラッチを備えている、請求項１に記載のコネクタアセンブリ。
【請求項４】
前記回路基板が部分的に前記絶縁ハウジング内に配置され、前記回路基板の前記嵌合部が前記絶縁ハウジングの前記嵌合端から前方に延びている、請求項１に記載のコネクタアセンブリ。
【請求項５】
前記回路基板の前記嵌合部及び前記終端部の両方が完全に前記絶縁ハウジング内に配置されるように、前記回路基板が完全に前記絶縁ハウジング内に配置されている、請求項１に記載のコネクタアセンブリ。
【請求項６】
回路基板の前記上面及び前記下面それぞれの前記嵌合端子が１列に配置されている、請求項１に記載のコネクタアセンブリ。
【請求項７】
回路基板の前記上面及び前記下面それぞれの前記終端端子が１列に配置されている、請求項１に記載のコネクタアセンブリ。
【請求項８】
回路基板の前記上面及び前記下面それぞれの前記終端端子が２列に配置されている、請求項１に記載のコネクタアセンブリ。
【請求項９】
前記嵌合端子のいくつかが、その他の嵌合端子のいくつかよりも長い、請求項１に記載のコネクタアセンブリ。
【請求項１０】
前記平坦な第１及び第２のケーブルのうちの少なくとも１つが、
前記ケーブルに沿って長さ方向に延びて、前記ケーブルの幅に沿った平面内に概ね配置された複数の導体のセットであって、各導体のセットが導電性シールドによって実質的に取り囲まれると共に、２つの絶縁導体を含み、各絶縁導体が、複数の誘電体層によって取り囲まれた中心導体を備えている、複数の導体のセットと、
前記ケーブルの両面に配置された第１及び第２の非導電性高分子層であって、前記第１及び第２の高分子層が、カバー部と、締め付けられた部分とを含み、前記カバー部及び前記締め付けられた部分は、横断面内で、前記第１及び第２の高分子層の前記カバー部が組み合わさって、前記複数の導体のセットを実質的に取り囲み、前記第１及び第２の高分子層の前記締め付けられた部分が組み合わさって、前記ケーブルのそれぞれの側で前記ケーブルの締め付けられた部分を形成するように配置されている、前記第１及び第２の非導電性高分子層と、
を備えている、請求項１に記載のコネクタアセンブリ。
【請求項１１】
前記シールドが、前記ケーブルの両面に配置された第１及び第２のシールド層を備え、前記第１のシールドが前記第１の非導電性高分子層に接着されて前記第１の非導電性高分子層の形状に沿い、前記第２のシールドが前記第２の非導電性高分子層に接着されて前記第２の非導電性高分子層の形状に沿っている、請求項１０に記載のコネクタアセンブリ。
【請求項１２】
前記平坦な第１及び第２のケーブルのうちの前記少なくとも１つが、前記第１の高分子層と前記第２の高分子層の間に配置されて前記ケーブルの前記締め付けられた部分で前記２つの高分子層を接着させる接着剤層を更に備えている、請求項１０に記載のコネクタアセンブリ。
【請求項１３】
前記第１及び第２の高分子層の前記締め付けられた部分が組み合わさって、各導体のセットのそれぞれの側で前記ケーブルの締め付けられた部分を形成する、請求項１０に記載のコネクタアセンブリ。
【請求項１４】
ｎが１０以上の整数である、請求項１に記載のコネクタアセンブリ。
【請求項１５】
前記第１及び第２のコネクタのそれぞれが、同じ相手側コネクタと嵌合するように構成されている、請求項１に記載のコネクタアセンブリ。
【請求項１６】
前記第１及び第２のコネクタのそれぞれが同じ平面視で前記同じコネクタと嵌合するときに、前記Ａｎ端子が前記Ａ１端子の左側にあり、前記Ｂｎ端子が前記Ｂ１端子の左側にある、請求項１５に記載のコネクタアセンブリ。
【請求項１７】
前記第１及び第２のコネクタのそれぞれが同じ平面視で前記同じコネクタと嵌合するときに、前記Ａｎ端子が前記Ａ１端子の右側にあり、前記Ｂｎ端子が前記Ｂ１端子の右側にある、請求項１５に記載のコネクタアセンブリ。
【請求項１８】
前記屈曲が約１６０度より大きい、請求項１に記載のコネクタアセンブリ。
【請求項１９】
前記屈曲が約１７０度より大きい、請求項１に記載のコネクタアセンブリ。
【請求項２０】
前記屈曲が約１８０度である、請求項１に記載のコネクタアセンブリ。
【請求項２１】
各ケーブルが、前記ケーブルの前記全幅にわたって延びる１つの折り畳みを含んでいる、請求項１に記載のコネクタアセンブリ。
【請求項２２】
各ケーブルが３つの折り畳みを含み、各折り畳みが前記ケーブルの前記全幅にわたって延びている、請求項１に記載のコネクタアセンブリ。
【請求項２３】
前記平坦な第１及び第２のケーブルが、前記ケーブルの長さ及び幅それぞれに沿って直交する長さ方向及び幅方向を定義し、平面視で、ケーブルごとに、前記折り目のうちの１つが前記ケーブルの前記長さ方向と平行であり、その他の２つの折り目が前記ケーブルの前記長さ方向と斜角をなす、請求項２２に記載のコネクタアセンブリ。
【請求項２４】
前記斜角が３０〜７０度である、請求項２２に記載のコネクタアセンブリ。
【請求項２５】
前記斜角が約４５度である、請求項２２に記載のコネクタアセンブリ。
【請求項２６】
前記第１及び第２のケーブルの前記屈曲が、前記ケーブルの前記長さに沿って概ね同じ位置にある、請求項２２に記載のコネクタアセンブリ。
【請求項２７】
各ケーブルが平均厚さＤを有し、前記第１及び第２のケーブルが組み合わさって、前記第１及び第２のケーブルが折り曲げられる折り畳み領域と、前記第１及び第２のケーブルが折り曲げられない、前記折り畳み領域のそれぞれの側にある折り畳まれない領域とを含む、ケーブル積層体を形成し、前記ケーブル積層体の平均厚さが、前記折り畳まれない領域内で約２Ｄであり、前記折り畳み領域内で６Ｄ〜７Ｄである、請求項２６に記載のコネクタアセンブリ。
【請求項２８】
前記ケーブル積層体の前記平均厚さが、前記折り畳み領域内で約６Ｄである、請求項２７に記載のコネクタアセンブリ。
【請求項２９】
第１及び第２のコネクタであって、各コネクタが、１列に連続して配置された複数の端子Ａ１〜Ａｎを備え、ｎが２以上の整数である、第１及び第２のコネクタと、
１〜ｎのｉごとに、前記第１のコネクタの端子Ａｉが、前記ケーブルの異なる導電体を介して前記第２のコネクタの前記端子Ａｉに電気接続されるように、前記第１及び第２のコネクタの前記端子を電気接続する複数の導電体を備えたフラットケーブルであって、前記ケーブルが、前記ケーブルの全幅にわたって延びる少なくとも２つの折り目を中心にして、約１５０°より大きい屈曲角を含み、前記第１及び第２のコネクタのそれぞれは、前記第１及び第２のコネクタのそれぞれが同じ平面視で前記同じ相手側コネクタと嵌合するときに、前記Ａｎ端子が両方とも前記Ａ１端子の左側又は右側のいずれかにあるように、同じ相手側コネクタと嵌合するように構成されている、フラットケーブルと、
を備えている、コネクタアセンブリ。
【発明の詳細な説明】
【技術分野】
【０００１】
本開示は、コネクタアセンブリのための折り畳まれたフラットケーブルに関する。
【背景技術】
【０００２】
電子システムを接続するための種々の異なる技術が開発されている。電子システムがより複雑になるにつれて、それらの電子システムに接続される物品も複雑になっている。複雑な接続を利用する電子システムの例は、回路基板である。回路基板は、複数の平行な絶縁導体を含んでいる電気ケーブルを使用して、別の電気部品に電気的に接続されることが多い。従来、電気ケーブルは、その後、別のコネクタに取り付けられる。
【発明の概要】
【０００３】
本明細書では、コネクタアセンブリが開示される。一部の実施形態では、コネクタアセンブリは、第１及び第２のコネクタと、実質的に平坦な第１及び第２のケーブルであって、第１及び第２のケーブルを接続する複数の導電体を備えている、第１及び第２のケーブルと、を備えている。各コネクタは、相手側コネクタと嵌合するための嵌合端及び１つ以上のケーブルを受け取るための反対側を向いたケーブル端を備えている絶縁ハウジングと、少なくとも部分的に絶縁ハウジング内に配置された回路基板とを備えている。回路基板は、上面及び反対側を向いた下面と、回路基板の前端にある嵌合部と、絶縁ハウジングのケーブル端に配置された、回路基板の後端にある終端部と、を備えている。回路基板の嵌合部は、相手側コネクタの対応する端子と接触するために上面及び下面それぞれに複数の嵌合端子を備え、それらの嵌合端子は、上面に連続して配置されたＡ１〜ＡｎのＡ端子及び下面に連続して配置されたＢ１〜ＢｎのＢ端子を含んでおり、ｎは２以上の整数であり、端子Ａｉは、１〜ｎのｉごとに、端子Ｂｉに対応すると共にそれに揃えられており、第１のコネクタのＡ１端子及びＡｎ端子は、第２のコネクタのＡ１端子及びＡｎ端子と同じ位置関係を有する。回路基板の後端の終端部は、上面及び下面それぞれに、嵌合端子に電気接続された複数の終端端子を備えている。実質的に平坦な第１及び第２のケーブルは、１〜ｎのｉごとに、第１のコネクタの端子Ａｉが、第１のケーブルの異なる導電体を介して第２のコネクタの端子Ａｉに電気接続され、第１のコネクタの端子Ｂｉが、第２のケーブルの異なる導電体を介して第２のコネクタの端子Ｂｉに電気接続されるように、第１及び第２のコネクタの終端端子で終端された複数の導電体を備えている。各ケーブルは、ケーブルの全幅にわたって延びる少なくとも２つの折り目を中心にして、約１５０°より大きい屈曲角を含む。
【０００４】
本開示のコネクタアセンブリの他の実施形態では、コネクタアセンブリは、第１及び第２のコネクタと、複数の導電体を備えているフラットケーブルと、を備えている。各コネクタは、１列に連続して配置された複数の端子Ａ１〜Ａｎを備え、ｎは２以上の整数である。複数の導電体を備えているフラットケーブルは、１〜ｎのｉごとに、第１のコネクタの端子Ａｉが、ケーブルの異なる導電体を介して第２のコネクタの端子Ａｉに電気接続されるように、第１及び第２のコネクタの端子を電気接続する。ケーブルは、ケーブルの全幅にわたって延びる少なくとも２つの折り目を中心にして、約１５０°より大きい屈曲角を有する。第１及び第２のコネクタはそれぞれ、第１及び第２のコネクタのそれぞれが同じ平面視で同じ相手側コネクタと嵌合するときに、Ａｎ端子が両方ともＡ１端子の左側又は右側のいずれかにあるように、同じ相手側コネクタと嵌合するように構成される。
【図面の簡単な説明】
【０００５】
本出願は、添付の図面と共に、本開示の様々な実施形態についての以下の詳細な説明を考慮することにより、更に完全に理解され得る。
【０００６】
【図１】本開示のコネクタアセンブリの一実施形態の平面図を示す。
【図２】本開示のコネクタアセンブリの第１又は第２のコネクタの一実施形態の断面図を示す。
【図３】本開示のコネクタアセンブリの第１又は第２のコネクタの一実施形態の平面図を示す。
【図４Ａ】本開示のコネクタアセンブリの、絶縁ハウジングのない第１又は第２のコネクタの一実施形態の平面図を示す。
【図４Ｂ】本開示のコネクタアセンブリの、絶縁ハウジングのない第１又は第２のコネクタの一実施形態の平面図を示す。
【図５Ａ】本開示のコネクタアセンブリの第１又は第２のケーブルの一実施形態の断面図を示す。
【図５Ｂ】本開示のコネクタアセンブリの第１又は第２のケーブルの一実施形態の断面図を示す。
【図６】本開示のコネクタアセンブリのケーブルの折り畳みの一実施形態の断面図を示す。
【図７Ａ】本開示のコネクタアセンブリのケーブルの折り畳みの実施形態の平面図を示す。
【図７Ｂ】本開示のコネクタアセンブリのケーブルの折り畳みの実施形態の平面図を示す。
【図７Ｃ】本開示のコネクタアセンブリのケーブルの折り畳みの実施形態の平面図を示す。
【図７Ｄ】本開示のコネクタアセンブリのケーブルの折り畳みの実施形態の平面図を示す。
【図８】本開示のコネクタアセンブリの一実施形態の平面図を示す。
【図９】本開示のコネクタアセンブリの一実施形態の折り畳まれた領域の平面図を示す。
【図１０】本開示のコネクタアセンブリの別の実施形態の平面図を示す。
【０００７】
以下の例示された実施形態の説明においては、本開示を実施することが可能な様々な実施形態を実例として示す添付図面を参照する。本開示の範囲から逸脱することなく実施形態を利用することが可能であり、構造上の変更が行われ得る点は理解されるべきである。これらの図は、必ずしも一定の比率の縮尺ではない。図中で使用される同様の数字は、同様の構成要素を指す。しかしながら、所与の図中での、ある構成要素を指すある数字の使用は、別の図中の同じ数字が付された構成要素を限定することを意図するものではない点が理解されるであろう。
【発明を実施するための形態】
【０００８】
回路基板は、複数の平行な絶縁導体を含んでいる電気ケーブルを使用して、別の電気部品に電気的に接続されることが多い。多くの場合、回路基板は、相手側コネクタと嵌合するための嵌合端と、１つ以上のケーブルを受け取るための反対側を向いたケーブル端とを備えたコネクタアセンブリ内に収容される。
【０００９】
コネクタ１／ケーブル／コネクタ２というタイプのアセンブリである、電気部品のアセンブリにおいて発生する１つの困難は、コネクタ１及びコネクタ２が、正しい電気接続を行うために適切な順序で互いに接続されなければならない要素の配列を有するため、２つのコネクタの配列が、同一になることができず、互いの鏡像にならなければならない、ということである。これは、「利き手」の概念によって容易に視覚化できる。２つの手のひらを互いの方に向けて、左手と右手を合わせた場合、左手の各指は、右手の対応する指と一致する。これは、それらの手が同一ではなく、互いの鏡像であるからである。この代わりに、人が２つの左手を持っていたなら、２つの手のひらを互いの方に向けて、手を合わせた場合、各指が互いに一致しないことが分かるであろう。この利き手の例をコネクタ１／ケーブル／コネクタ２のアセンブリで使用すると、互いに向き合っている手のひらと同じような形で２つのコネクタが互いに向き合っていることが分かる。したがって、コネクタの要素の配列が（手の指の一致と同じように）互いに一致するには、「左手コネクタ」及び「右手コネクタ」が必要である。再び利き手の例えを用いると、２つの左手コネクタを一緒に接続しようとした場合、要素の配列は適切に一致しないであろう。
【００１０】
しかし、「左手コネクタ」及び「右手コネクタ」を製造したくなく、１つのタイプのコネクタのみを製造したいという状況が存在する。また、電子デバイスの組立業者は、デバイスを製造するときに、２種類の異なるコネクタの在庫を持ちたくないことがある。したがって、同じ２つのコネクタを備える（すなわち、同じ利き手を持つ）コネクタアセンブリを作製するための方法が望まれる。
【００１１】
本開示は、同じ利き手を持つ２つのコネクタを含む（すなわち、２つのコネクタ内の要素の配列が同じであり、互いの鏡像ではない）コネクタアセンブリについて説明する。本開示では、２つのコネクタが同一の要素の配列を有する場合に、２つのコネクタを接続できるように、又は利き手の例えを用いると、両方のコネクタの利き手が同じである（すなわち、両方とも「左利きコネクタ」である）場合に、２つのコネクタを接続できるように、複数の平行な絶縁導体を含んでいる実質的に平坦なケーブルを折り畳む方法。言い換えると、コネクタアセンブリでは、第１及び第２のコネクタはそれぞれ、同じ相手側コネクタと嵌合するように構成される。
【００１２】
図１は、第１のコネクタ１００及び第２のコネクタ２００を備えているコネクタアセンブリ１０００を示しており、実質的に平坦な第１のケーブル４０及び第２のケーブル５０がそれらのコネクタを接続している。実質的に平坦な第１のケーブル４０及び第２のケーブル５０は、下で詳細に説明される折り畳まれた部分を含んでいる。コネクタ１００はラッチ１１０を有し、コネクタ２００はラッチ２１０を有する。
【００１３】
図２及び図３は、コネクタ１００の２つの異なる実施形態の詳細を示している。図２（コネクタ１００の第１の実施形態）では、コネクタの回路基板２０が、絶縁ハウジング１０によって完全に取り囲まれている。回路基板２０は、前端にある嵌合部２３と、絶縁ハウジングのケーブル端に配置された、後端にある終端部２５とを有する。実質的に平坦な第１のケーブル４０及び第２のケーブル５０は、回路基板２０の終端部２５と電気的に接触している。
【００１４】
図３（コネクタ１００の第２の実施形態）では、回路基板２０は、絶縁ハウジング１０によって完全には取り囲まれておらず、部分的にのみ取り囲まれている。図３で、絶縁ハウジング１０は、相手側コネクタと嵌合するための嵌合端１１と、１つ以上のケーブルを受け取るための反対側を向いたケーブル端１２とを備えている。明確にするために絶縁ハウジング１０が取り除かれた、より詳細なコネクタ１００が図４Ａ及び図４Ｂに示され、図４Ａは、明確にするために絶縁ハウジング１０が取り除かれたコネクタ１００の上面図を示し、図４Ｂはコネクタ１００の底面図を示している。
【００１５】
図４Ａ及び図４Ｂは、上面２１及び反対側を向いた下面２２と、回路基板の前端２４にある嵌合部２３とを示しており、この嵌合部は、相手側コネクタの対応する端子と接触するために、上面及び下面それぞれに複数の嵌合端子３０、３１を備えている。嵌合端子は、上面に連続して配置されたＡ１〜ＡｎのＡ端子及び下面に連続して配置されたＢ１〜ＢｎのＢ端子を含んでおり、ｎは２以上の整数である。端子Ａｉは、１〜ｎのｉごとに、端子Ｂｉに対応すると共にそれに揃えられている。回路基板の後端２６にある終端部２５は、絶縁ハウジングのケーブル端に配置される。終端部２５は、上面及び下面それぞれに、嵌合端子に電気接続された複数の終端端子３２、３３を備えている。実質的に平坦な第１のケーブル４０及び第２のケーブル５０は、終端端子で終端された複数の導電体４１、５１を含んでいる。一部の実施形態では、ｎは１０以上の整数である。
【００１６】
１〜ｎのｉごとに、第１のコネクタの端子Ａｉが、第１のケーブルの異なる導電体を介して第２のコネクタの端子Ａｉに電気接続され、第１のコネクタの端子Ｂｉが、第２のケーブルの異なる導電体を介して第２のコネクタの端子Ｂｉに電気接続されるように、コネクタ２００が、コネクタ１００に示されているのと同じ、端子Ａ１及びＡｎ並びにＢ１及びＢｎの位置関係を有することに注意するべきである。図１に示されているコネクタ２００は、直角コネクタである。つまり、コネクタの嵌合端及びケーブル端は直線状に配置されるのではなく、互いに直角（９０°）である。コネクタ２００は、直角コネクタである必要はなく、コネクタ１００と同一のコネクタであってもよい。
【００１７】
コネクタアセンブリの一部の実施形態では、回路基板の上面及び下面それぞれの嵌合端子は、１列に配置される。コネクタアセンブリの一部の実施形態では、回路基板の上面及び下面それぞれの終端端子も、１列に配置される。
【００１８】
コネクタアセンブリの他の実施形態では、回路基板の上面及び下面それぞれの終端端子は、２列に配置される。一部の実施形態では、第１及び第２のコネクタは、同じ平面視で同じコネクタと嵌合し、このときＡｎ端子がＡ１端子の左側にあり、Ｂｎ端子がＢ１端子の左側にある。他の実施形態では、第１及び第２のコネクタは、同じ平面視で同じコネクタと嵌合し、このときＡｎ端子がＡ１端子の右側にあり、Ｂｎ端子がＢ１端子の右側にある。
【００１９】
図５Ａ及び図５Ｂは、ケーブル４０の２つの実施形態の断面図を示している。ケーブルのこれらの実施形態のいずれかを、ケーブル５０に使用することもできる。したがって、図５Ａ及び図５Ｂでは、ケーブル４０の要素を指定するために使用される各数字を、対応するケーブル５０の要素を指定するために同様に使用することができる。例えば、ケーブル４０の導電体４１は、ケーブル５０の導電体５１に対応する。図５Ａ及び図５Ｂでは、電気ケーブル４０は、ケーブルの長さ方向（ｘ方向）に延びる複数の導体のセット４２を含んでおり、実質的に平行な絶縁導体４１の対及び導電性シールド４８を備えている。複数の絶縁導体４１の各絶縁導体は、中心導体４４及び誘電体層４５を含んでいる。各導体対は、図５Ｂでは４３として、図５Ａでは４３ａ及び４３ｂとして示される導電性シールドによって取り囲まれている。第１（４６）及び第２（４７）の非導電性高分子層が、ケーブルの両面に配置されて、導電性シールド４８を形成している。導電性シールド４８は、カバー部４８ａ及び締め付けられた部分４８ｂを有する。ケーブルは、層４６と層４７の間に配置されて、２つの層を一緒に保持する接着剤層５２を更に備えている。
【００２０】
前述したように、図１に示されているコネクタアセンブリ１０００は、折り畳まれた部分をケーブル４０及び５０に含んでいる。折り畳まれた部分は、図６、図７Ａ〜Ｄ、図８、及び図９に、更に示されている。図６に示されるように、ケーブル４０及び５０はそれぞれ、少なくとも２つの折り目を中心にして、約１５０°より大きい屈曲角（ケーブル４０の場合はθ１、ケーブル５０の場合はθ２）を含んでいる。折り目は、図７Ａ〜７Ｄに示されており、ケーブル４０の場合は１４２〜１４４、ケーブル５０の場合は１５２〜１５４である。折り目はケーブルの全幅にわたって延び、ケーブル４０の幅はＷ１、ケーブル５０の幅はＷ２として示されている。一部の実施形態では、ケーブル４０の屈曲角θ１及びケーブル５０の屈曲角θ２は、少なくとも２つの折り目を中心にして、約１６０°より大きい。一部の実施形態では、ケーブル４０の屈曲角θ１及びケーブル５０の屈曲角θ２は、少なくとも２つの折り目を中心にして、約１７０°より大きい。一部の特に望ましい実施形態では、ケーブル４０の屈曲角θ１及びケーブル５０の屈曲角θ２は、少なくとも２つの折り目を中心にして、約１８０°である。図７Ｂ及び図７Ｄに示されるように、平坦な第１及び第２のケーブルは、ケーブルの長さ及び幅それぞれに沿って直交する長さ方向（ｘ）及び幅方向（ｙ）を定義し、平面視で、ケーブルごとに、ケーブル４０の折り目１４３及びケーブル５０の折り目１５３のうちの１つが、ケーブルの長さ方向と平行になり、ケーブル４０のその他の２つの折り目１４２及び１４４がケーブルの長さ方向との斜角α１及びα２をなし、ケーブル５０のその他の２つの折り目１５２及び１５４がケーブルの長さ方向との斜角β１及びβ２をなす。一部の実施形態では、斜角α１、α２、β１、及びβ２は、３０°〜７０°である。他の実施形態では、斜角α１、α２、β１、及びβ２は、約４５°である。一部の実施形態では、第１及び第２のケーブルの屈曲は、ケーブルの長さに沿って、概ね同じ位置にある。図８及び図９に示されるように、各ケーブルは平均厚さＤを有し、第１及び第２のケーブルは組み合わさって、第１及び第２のケーブルが折り曲げられる折り畳み領域６１と、第１及び第２のケーブルが折り曲げられない、折り畳み領域のそれぞれの側にある折り畳まれない領域６２とを有する、ケーブル積層体６０を形成する。ケーブル積層体の平均厚さは、折り畳まれない領域内で約２Ｄであり、折り畳み領域内で６Ｄ〜７Ｄである。一部の実施形態では、ケーブル積層体の平均厚さは、折り畳み領域内で約６Ｄである。通常、折り畳み領域は、折り畳まれない領域６２が互いに直線関係になるように、３つの折り畳みを含む。
【００２１】
図１０は、図１に示されるコネクタアセンブリの代替の実施形態を示している。図１０では、コネクタ１０００’は、ケーブル４０’及びケーブル５０’によって接続された第１のコネクタ１００’及び第２のコネクタ２００’を有する。この実施形態は、図１の実施形態とは異なり、ケーブル４０’及びケーブル５０’が、１つのみの折り畳みを有する。このようにすると、コネクタ１００’及び２００’が、互いに向き合う代わりに、互いに直交する。その他すべての点において、コネクタ１００’はコネクタ１００に関して説明される通りであり、コネクタ２００’はコネクタ２００に関して説明される通りであり、ケーブル４０’はケーブル４０に関して説明される通りであり、ケーブル５０’はケーブル５０に関して説明される通りである。
【００２２】
図１のコネクタアセンブリの代替の実施形態では、コネクタアセンブリは、ケーブル５０を含まず（すなわち、ケーブル５０は任意であり）、ケーブル４０のみを備える。この実施形態では、コネクタアセンブリは第１のコネクタ１００及び第２のコネクタ２００を備え、各コネクタ１００は、１列に連続して配置された複数の端子Ａ１〜Ａｎを備え、ｎは２以上の整数であり、実質的に平坦なケーブル４０は、１〜ｎのｉごとに、第１のコネクタの端子Ａｉが、ケーブルの異なる導電体を介して第２のコネクタの端子Ａｉに電気接続されるように、第１及び第２のコネクタの端子を電気接続する複数の導電体４１を備えている。前述した実施形態と同様に、ケーブルは、ケーブルの全幅Ｗ１にわたって延びる少なくとも２つの折り目１４２〜１４４を中心にして、約１５０°より大きい屈曲角θ１を含む。第１及び第２のコネクタはそれぞれ、第１及び第２のコネクタのそれぞれが同じ平面視で同じ相手側コネクタと嵌合するときに、Ａｎ端子が両方ともＡ１端子の左側又は右側のいずれかにあるように、同じ相手側コネクタと嵌合するように構成される。
【００２３】
本開示は、以下の実施形態を含む。
実施形態の中には、コネクタアセンブリがある。実施形態１は、第１及び第２のコネクタを備えているコネクタアセンブリであり、各コネクタは、相手側コネクタと嵌合するための嵌合端及び１つ以上のケーブルを受け取るための反対側を向いたケーブル端を備えている絶縁ハウジングと、少なくとも部分的に絶縁ハウジング内に配置され、上面及び反対側を向いた下面を備えている回路基板とを備え、回路基板の前端にある嵌合部は、相手側コネクタの対応する端子と接触するために、上面及び下面それぞれに複数の嵌合端子を備え、嵌合端子は、上面に連続して配置されたＡ１〜ＡｎのＡ端子及び下面に連続して配置されたＢ１〜ＢｎのＢ端子を含んでおり、ｎは２以上の整数であり、端子Ａｉは、１〜ｎのｉごとに、端子Ｂｉに対応すると共にそれに揃えられており、第１のコネクタのＡ１端子及びＡｎ端子は、第２のコネクタのＡ１端子及びＡｎ端子と同じ位置関係を有し、絶縁ハウジングのケーブル端に配置された、回路基板の後端にある終端部は、上面及び下面それぞれに、嵌合端子に電気接続された複数の終端端子を備え、実質的に平坦な第１及び第２のケーブルは、１〜ｎのｉごとに、第１のコネクタの端子Ａｉが、第１のケーブルの異なる導電体を介して第２のコネクタの端子Ａｉに電気接続され、第１のコネクタの端子Ｂｉが、第２のケーブルの異なる導電体を介して第２のコネクタの端子Ｂｉに電気接続されるように、第１及び第２のコネクタの終端端子で終端された複数の導電体を備え、各ケーブルは、ケーブルの全幅にわたって延びる少なくとも２つの折り目を中心にして、約１５０°より大きい屈曲角を含む。
【００２４】
実施形態２は、第１のコネクタ及び第２のコネクタの両方が直線コネクタである、実施形態１のコネクタアセンブリである。
【００２５】
実施形態３は、第１のコネクタが直線コネクタであり、第２のコネクタが直角コネクタである、実施形態１のコネクタアセンブリである。
【００２６】
実施形態４は、第１及び第２のコネクタのうちの少なくとも１つが、コネクタを相手側コネクタに留めるためのラッチを備えている、実施形態１〜３のいずれかのコネクタアセンブリである。
【００２７】
実施形態５は、回路基板が部分的に絶縁ハウジング内に配置され、回路基板の嵌合部が絶縁ハウジングの嵌合端から前方に延びている、実施形態１〜４のいずれかのコネクタアセンブリである。
【００２８】
実施形態６は、回路基板の嵌合部及び終端部の両方が完全に絶縁ハウジング内に配置されるように、回路基板が完全に絶縁ハウジング内に配置されている、実施形態１〜４のいずれかのコネクタアセンブリである。
【００２９】
実施形態７は、回路基板の上面及び下面それぞれの嵌合端子が１列に配置されている、実施形態１〜６のいずれかのコネクタアセンブリである。
【００３０】
実施形態８は、回路基板の上面及び下面それぞれの終端端子が１列に配置されている、実施形態１〜７のいずれかのコネクタアセンブリである。
【００３１】
実施形態９は、回路基板の上面及び下面それぞれの終端端子が２列に配置されている、実施形態１〜６のいずれかのコネクタアセンブリである。
【００３２】
実施形態１０は、嵌合端子のいくつかが、その他の嵌合端子のいくつかよりも長い、実施形態１〜９のいずれかのコネクタアセンブリである。
【００３３】
実施形態１１は、平坦な第１及び第２のケーブルのうちの少なくとも１つが、ケーブルに沿って長さ方向に延びて、ケーブルの幅に沿った平面内に概ね配置される、複数の導体のセットであって、各導体のセットが導電性シールドによって実質的に取り囲まれると共に、２つの絶縁導体を含み、各絶縁導体が、複数の誘電体層によって取り囲まれた中心導体を備えている、複数の導体のセットと、ケーブルの両面に配置された第１及び第２の非導電性高分子層であって、第１及び第２の高分子層が、カバー部と、締め付けられた部分とを含み、カバー部及び締め付けられた部分は、横断面内で、第１及び第２の高分子層のカバー部が組み合わさって、複数の導体のセットを実質的に取り囲み、第１及び第２の高分子層の締め付けられた部分が組み合わさって、ケーブルのそれぞれの側でケーブルの締め付けられた部分を形成するように配置されている、第１及び第２の非導電性高分子層と、を備えている、実施形態１〜１０のいずれかのコネクタアセンブリである。
【００３４】
実施形態１２は、シールドが、ケーブルの両面に配置された第１及び第２のシールド層を備え、第１のシールドが第１の非導電性高分子層に接着されて第１の非導電性高分子層の形状に沿い、第２のシールドが第２の非導電性高分子層に接着されて第２の非導電性高分子層の形状に沿っている、実施形態１１のコネクタアセンブリである。
【００３５】
実施形態１３は、平坦な第１及び第２のケーブルのうちの少なくとも１つが、第１の高分子層と第２の高分子層の間に配置されて、ケーブルの締め付けられた部分で２つの高分子層を接着させる接着剤層を更に備えている、実施形態１１又は１２のコネクタアセンブリである。
【００３６】
実施形態１４は、第１及び第２の高分子層の締め付けられた部分が組み合わさって、各導体のセットのそれぞれの側でケーブルの締め付けられた部分を形成する、実施形態１１〜１３のいずれかのコネクタアセンブリである。
【００３７】
実施形態１５は、ｎが１０以上の整数である、実施形態１〜１４のいずれかのコネクタアセンブリである。
【００３８】
実施形態１６は、第１及び第２のコネクタのそれぞれが、同じ相手側コネクタと嵌合するように構成されている、実施形態１〜１５のいずれかのコネクタアセンブリである。
【００３９】
実施形態１７は、第１及び第２のコネクタのそれぞれが、同じ平面視で同じコネクタと嵌合するときに、Ａｎ端子がＡ１端子の左側にあり、Ｂｎ端子がＢ１端子の左側にある、実施形態１〜１６のいずれかのコネクタアセンブリである。
【００４０】
実施形態１８は、第１及び第２のコネクタのそれぞれが、同じ平面視で同じコネクタと嵌合するときに、Ａｎ端子がＡ１端子の右側にあり、Ｂｎ端子がＢ１端子の右側にある、実施形態１〜１６のいずれかのコネクタアセンブリである。
【００４１】
実施形態１９は、屈曲角が約１６０°より大きい、実施形態１〜１８のいずれかのコネクタアセンブリである。
【００４２】
実施形態２０は、屈曲角が約１７０°より大きい、実施形態１〜１８のいずれかのコネクタアセンブリである。
【００４３】
実施形態２１は、屈曲角が約１８０°である、実施形態１〜１８のいずれかのコネクタアセンブリである。
【００４４】
実施形態２２は、各ケーブルが、ケーブルの全幅にわたって延びる１つの折り畳みを含んでいる、実施形態１〜２１のいずれかのコネクタアセンブリである。
【００４５】
実施形態２３は、各ケーブルが３つの折り畳みを含み、各折り畳みがケーブルの全幅にわたって延びている、実施形態１〜２１のいずれかのコネクタアセンブリである。
【００４６】
実施形態２４は、平坦な第１及び第２のケーブルが、ケーブルの長さ及び幅それぞれに沿って直交する長さ方向及び幅方向を定義し、平面視で、ケーブルごとに、折り目のうちの１つがケーブルの長さ方向と平行であり、その他の２つの折り目がケーブルの長さ方向との斜角をなす、実施形態１〜２３のいずれかのコネクタアセンブリである。
【００４７】
実施形態２５は、斜角が３０〜７０度である、実施形態２４のコネクタアセンブリである。
【００４８】
実施形態２６は、斜角が約４５度である、実施形態２４のコネクタアセンブリである。
【００４９】
実施形態２７は、第１及び第２のケーブルの屈曲が、ケーブルの長さに沿って概ね同じ位置にある、実施形態１〜２６のいずれかのコネクタアセンブリである。
【００５０】
実施形態２８は、各ケーブルが平均厚さＤを有し、第１及び第２のケーブルが組み合わさって、第１及び第２のケーブルが折り曲げられる折り畳み領域と、第１及び第２のケーブルが折り曲げられない、折り畳み領域のそれぞれの側にある折り畳まれない領域とを含む、ケーブル積層体を形成し、ケーブル積層体の平均厚さが、折り畳まれない領域内で約２Ｄであり、折り畳み領域内で６Ｄ〜７Ｄである、実施形態１〜２７のいずれかのコネクタアセンブリである。
【００５１】
実施形態２９は、ケーブル積層体の平均厚さが、折り畳み領域内で約６Ｄである、実施形態２８のコネクタアセンブリである。
【００５２】
実施形態３０は、第１及び第２のコネクタであって、各コネクタが、１列に連続して配置された複数の端子Ａ１〜Ａｎを備え、ｎが２以上の整数である、第１及び第２のコネクタと、１〜ｎのｉごとに、第１のコネクタの端子Ａｉが、ケーブルの異なる導電体を介して第２のコネクタの端子Ａｉに電気接続されるように、第１及び第２のコネクタの端子を電気接続する複数の導電体を備えたフラットケーブルであって、ケーブルが、ケーブルの全幅にわたって延びる少なくとも２つの折り目を中心にして、約１５０°より大きい屈曲角を含み、第１及び第２のコネクタのそれぞれが、第１及び第２のコネクタのそれぞれが同じ平面視で同じ相手側コネクタと嵌合するときに、Ａｎ端子が両方ともＡ１端子の左側又は右側のいずれかにあるように、同じ相手側コネクタと嵌合するように構成されている、フラットケーブルと、を備えている、コネクタアセンブリである。
【００５３】
実施形態３１は、第１のコネクタ及び第２のコネクタの両方が直線コネクタである、実施形態３０のコネクタアセンブリである。
【００５４】
実施形態３２は、第１のコネクタが直線コネクタであり、第２のコネクタが直角コネクタである、実施形態３０のコネクタアセンブリである。
【００５５】
実施形態３３は、第１及び第２のコネクタのうちの少なくとも１つが、コネクタを相手側コネクタに留めるためのラッチを備えている、実施形態３０〜３２のいずれかのコネクタアセンブリである。
【００５６】
実施形態３４は、回路基板が部分的に絶縁ハウジング内に配置され、回路基板の嵌合部が絶縁ハウジングの嵌合端から前方に延びている、実施形態３０〜３３のいずれかのコネクタアセンブリである。
【００５７】
実施形態３５は、回路基板の嵌合部及び終端部の両方が完全に絶縁ハウジング内に配置されるように、回路基板が完全に絶縁ハウジング内に配置されている、実施形態３０〜３３のいずれかのコネクタアセンブリである。
【００５８】
実施形態３６は、フラットケーブルが、ケーブルに沿って長さ方向に延びて、ケーブルの幅に沿った平面内に概ね配置される、複数の導体のセットであって、各導体のセットが導電性シールドによって実質的に取り囲まれると共に、２つの絶縁導体を含み、各絶縁導体が、複数の誘電体層によって取り囲まれた中心導体を備えている、複数の導体のセットと、ケーブルの両面に配置された第１及び第２の非導電性高分子層であって、第１及び第２の高分子層が、カバー部と、締め付けられた部分とを含み、カバー部及び締め付けられた部分は、横断面内で、第１及び第２の高分子層のカバー部が組み合わさって、複数の導体のセットを実質的に取り囲み、第１及び第２の高分子層の締め付けられた部分が組み合わさって、ケーブルのそれぞれの側でケーブルの締め付けられた部分を形成するように配置されている、第１及び第２の非導電性高分子層と、を備えている、実施形態３０〜３４のいずれかのコネクタアセンブリである。
【００５９】
実施形態３７は、シールドが、ケーブルの両面に配置された第１及び第２のシールド層を備え、第１のシールドが第１の非導電性高分子層に接着されて第１の非導電性高分子層の形状に沿い、第２のシールドが第２の非導電性高分子層に接着されて第２の非導電性高分子層の形状に沿っている、実施形態３６のコネクタアセンブリである。
【００６０】
実施形態３８は、平坦な第１のケーブルが、第１の高分子層と第２の高分子層の間に配置されてケーブルの締め付けられた部分で２つの高分子層を接着させる接着剤層を更に備えている、実施形態３６又は３７のコネクタアセンブリである。
【００６１】
実施形態３９は、第１及び第２の高分子層の締め付けられた部分が組み合わさって、各導体のセットのそれぞれの側でケーブルの締め付けられた部分を形成する、実施形態３６〜３８のいずれかのコネクタアセンブリである。
【００６２】
実施形態４０は、ｎが１０以上の整数である、実施形態３０〜３８のいずれかのコネクタアセンブリである。
【００６３】
実施形態４１は、Ａｎ端子が各Ａ１端子の左側にある、実施形態３０〜４０のいずれかのコネクタアセンブリである。
【００６４】
実施形態４２は、Ａｎ端子が各Ａ１端子の右側にある、実施形態３０〜４０のいずれかのコネクタアセンブリである。
【００６５】
実施形態４３は、屈曲角が約１６０°より大きい、実施形態３０〜４２のいずれかのコネクタアセンブリである。
【００６６】
実施形態４４は、屈曲角が約１７０°より大きい、実施形態３０〜４２のいずれかのコネクタアセンブリである。
【００６７】
実施形態４５は、屈曲角が約１８０°である、実施形態３０〜４２のいずれかのコネクタアセンブリである。
【００６８】
実施形態４６は、各ケーブルが、ケーブルの全幅にわたって延びる１つの折り畳みを含んでいる、実施形態３０〜４５のいずれかのコネクタアセンブリである。
【００６９】
実施形態４７は、各ケーブルが３つの折り畳みを含み、各折り畳みがケーブルの全幅にわたって延びている、実施形態３０〜４５のいずれかのコネクタアセンブリである。
【００７０】
実施形態４８は、フラットケーブルが、ケーブルの長さ及び幅に沿って直交する長さ方向及び幅方向を定義し、平面視で、ケーブルの折り目のうちの１つがケーブルの長さ方向と平行であり、その他の２つの折り目がケーブルの長さ方向との斜角をなす、実施形態３０〜４７のいずれかのコネクタアセンブリである。
【００７１】
実施形態４９は、斜角が３０〜７０度である、実施形態４８のコネクタアセンブリである。
【００７２】
実施形態５０は、斜角が約４５度である、実施形態４８のコネクタアセンブリである。
【符号の説明】
【００７３】
４１、５１…導電体、１００…第１のコネクタ、２００…第２のコネクタ、１０００…コネクタアセンブリ、Ａ１〜Ａｎ…端子。
【図１】
2019114544.tif 000003
【図２】
2019114544.tif 000004
【図３】
2019114544.tif 000005
【図４Ａ】
2019114544.tif 000006
【図４Ｂ】
2019114544.tif 000007
【図５Ａ】
2019114544.tif 000008
【図５Ｂ】
2019114544.tif 000009
【図６】
2019114544.tif 000010
【図７Ａ】
2019114544.tif 000011
【図７Ｂ】
2019114544.tif 000012
【図７Ｃ】
2019114544.tif 000013
【図７Ｄ】
2019114544.tif 000014
【図８】
2019114544.tif 000015
【図９】
2019114544.tif 000016
【図１０】
2019114544.tif 000017
【外国語明細書】
2019114544000001.pdf